(57)【要約】【課題】アンカーボルトを高精度で配置するとともに、鉄筋配筋を容易にし作業能率を高める。【解決手段】基礎コンクリート１９内に立設されたＨ型鋼２と、該Ｈ型鋼２に固定され複数のアンカーボルト９を組み込んだアンカーフレーム７とからなり、さらに、前記Ｈ型鋼２に固定された仮設鉄筋１５と、該仮設鉄筋に配筋された基礎鉄筋１６、１７とを備える。【選択図】図５
2004107947.tif 000002
【特許請求の範囲】
【請求項１】
基礎コンクリート内に立設されたＨ型鋼と、該Ｈ型鋼に固定され複数のアンカーボルトを組み込んだアンカーフレームとからなることを特徴とするアンカーボルト設置構造。
【請求項２】
前記Ｈ型鋼に固定された仮設鉄筋と、該仮設鉄筋に配筋された基礎鉄筋とを備えることを特徴とする請求項１記載のアンカーボルト設置構造。
【請求項３】
複数のアンカーボルトの下部を固定プレートで連結し、上部を開口部を有するテンプレートで連結したアンカーフレームを用意し、基礎コンクリートの立設部にＨ型鋼を立設するステップと、前記Ｈ型鋼に前記アンカーフレームを、前記テンプレートの開口部から突出する状態で固定するステップと、Ｈ型鋼に仮設鉄筋を固定し該仮設鉄筋に基礎鉄筋を配筋するステップと、該基礎鉄筋の周囲に基礎コンクリートを打設するステップと、前記テンプレートを撤去しＨ型鋼の上部を切断するステップと、アンカーボルトに鉄骨ベースプレートを固定して鉄骨建方を行うステップとからなることを特徴とするアンカーボルト設置構造の構築工法。
【発明の詳細な説明】
【０００１】
【発明の属する技術分野】
本発明は、建築、土木分野において、鉄骨構造、鉄骨鉄筋コンクリート構造または鋼管コンクリート構造等の構造体を支持するためのアンカーボルト設置構造およびその構築工法に関する。
【０００２】
【従来の技術】
従来、例えば鉄骨造の建物において、建物基礎としてアンカーボルトを埋設したアンカーボルト設置構造を立設、構築し、該アンカーボルト設置構造に鉄骨柱をアンカーボルトを介して固定するためのアンカーボルト設置構造が知られている（例えば、特許文献１）。このアンカーボルト設置構造を構築する場合、従来は、アンカーボルトをセットした鋼製アンカーフレームを捨コンクリート上に設置していた。
【０００３】
【特許文献１】
特開平２００１−２０７４６１号公報
【０００４】
【発明が解決しようとする課題】
しかしながら、従来の工法においては、アンカーボルトを高精度で配置するために、４本の脚部材からなる鋼製アンカーフレームが捨コンクリート上に立設されているので、基礎内部鉄筋の配筋の邪魔となり、配筋作業が困難で作業能率が悪いという問題を有している。
本発明は、上記従来の問題を解決するものであって、アンカーボルトを高精度で配置することができるとともに、鉄筋配筋を容易にし作業能率を高めることができるアンカーボルト設置構造およびその構築工法を提供することを目的とする。
【０００５】
【課題を解決するための手段】
上記目的を達成するために、本発明のアンカーボルト設置構造は、基礎コンクリート内に立設されたＨ型鋼と、該Ｈ型鋼に固定され複数のアンカーボルトを組み込んだアンカーフレームとからなることを特徴とする。
また、前記Ｈ型鋼に固定された仮設鉄筋と、該仮設鉄筋に配筋された基礎鉄筋とを備えることを特徴とする。
また、本発明のアンカーボルト設置構造の構築方法は、複数のアンカーボルトの下部を固定プレートで連結し、上部を開口部を有するテンプレートで連結したアンカーフレームを用意し、基礎コンクリートの立設部にＨ型鋼を立設するステップと、前記Ｈ型鋼に前記アンカーフレームを、前記テンプレートの開口部から突出する状態で固定するステップと、Ｈ型鋼に仮設鉄筋を固定し該仮設鉄筋に基礎鉄筋を配筋するステップと、該基礎鉄筋の周囲に基礎コンクリートを打設するステップと、前記テンプレートを撤去しＨ型鋼の上部を切断するステップと、アンカーボルトに鉄骨ベースプレートを固定して鉄骨建方を行うステップとからなることを特徴とする。
【０００６】
【発明の実施の形態】
以下、本発明の実施の形態を図面を参照しつつ説明する。図１〜図５は、本発明のアンカーボルト設置構造における構築工法の１実施形態を示し、図１は施工手順を示すフロー図、図２は、図１のステップＳ１〜Ｓ６の工程を説明するための図であり、図２（Ａ）は縦断面、図２（Ｂ）は図２（Ａ）のＢ−Ｂ線で切断し矢印方向に見た断面図、図３はアンカーフレームを示し、図３（Ａ）は平面図、図３（Ｂ）は側面図、図３（Ｃ）は底面図、図４は、図１のステップＳ７〜Ｓ１０の工程を説明するための図であり、図４（Ａ）は平面図、図４（Ｂ）は側面図、図５は図１のステップＳ１１〜Ｓ１６の工程を説明するための図である。
【０００７】
図１において、まず、ステップＳ１で、図２（Ａ）に示すように、アンカーボルト設置構造の立設部における地盤１を逆台形状に掘削して床付けする。逆台形状に掘削するのは後述するＨ型鋼２を強固に固定するためである。次に、ステップＳ２で、掘削部分に砕石３を敷設し、ステップＳ３で立設部の位置決めのための墨出しを行う。
【０００８】
次に、ステップＳ４で、クレーン等でＨ型鋼２を搬入し三方より仮設方杖にて支持し、前記墨出し位置に、下振あるいはトランシットを使用して鉛直に立設する。この際、Ｈ型鋼下端を地盤中に差し込んでもよい。また、Ｈ型鋼をさらに強固に固定するため、逆台形状部分に位置するＨ型鋼２のフランジ両側面に、アングル材からなる補強材４を溶接あるいはボルトにて取り付けるようにしてもい。
【０００９】
次に、ステップＳ５で、砕石３上に捨コンクリート５を打設し仮設方杖を撤去し、コンクリートを養生すると、Ｈ型鋼２は捨コンクリート５内に強固に固定され、Ｈ型鋼２は鉛直に自立した状態になる。次に、ステップＳ６で、図２（Ｂ）に示すように、Ｈ型鋼２のフランジ両側面に、所定高さで水平となるように、アングル材からなるアンカーフレーム下部固定部材６を溶接にて取り付ける。
【００１０】
アンカーフレーム７は、図３に示すように、両端にネジが切られた４本のアンカーボルト９を有し、アンカーボルト９の下部は、４枚の固定プレート１０の両端に形成された孔に挿入され、ナット１１により固定され、アンカーボルト９を平面視で矩形状に配置されるように連結している。また、４本のアンカーボルト９の上部は、テンプレート１２の４隅に形成された孔に挿入されナット１３により固定されている。テンプレート１２の中央部には、Ｈ型鋼２の通過を許容する開口部１２ａが形成されている。
【００１１】
図１に戻り、ステップＳ７で、クレーンにてアンカーフレーム７を吊り、Ｈ型鋼２の上方からアンカーフレーム下部固定部材６上に、図４に示すように、アンカーフレーム７の固定プレート１０を載置する。この状態ではＨ型鋼２の上端はアンカーフレーム７のテンプレート１２の開口部１２ａから突出されている。次に、ステップＳ８で、アンカーフレーム７のテンプレート１２の下面に会わせて、Ｈ型鋼２のフランジ両側面に、所定高さで水平となるように、アングル材からなるアンカーフレーム上部固定部材１４を溶接にて取り付ける。このアンカーフレーム上部固定部材１４には、前記テンプレート１２を仮固定するためのボルト孔１２ｂが形成されている。
【００１２】
次に、ステップＳ９で、載置されたアンカーフレーム７の水平位置が所定の位置となるように正確に測量してアンカーフレーム７の位置を微調整し、位置決めが終了したら、ステップＳ１０で、アンカーフレーム下部固定部材６と固定プレート１０を溶接にて固着する。また、テンプレート１２にアンカーフレーム上部固定部材１４のボルト孔１２ｂに対向する位置にボルト孔を穿孔し、アンカーフレーム上部固定部材１４とテンプレート１２とをボルトにて仮固定し、衝撃により位置がずれないようにする。
【００１３】
次に、ステップＳ１１で、アンカーフレーム７の周囲に基礎鉄筋を配筋する。これは、図５（Ａ）に示すように、Ｈ型鋼２に十字状に仮設鉄筋１５を溶接にて固定し、この仮設鉄筋１５に縦筋１６を固定し、縦筋１６の周囲にフープ筋１７を固定することによって配筋を行う。また、仮設鉄筋１５にフープ筋１７を固定し、フープ筋１７に沿って縦筋１６を固定することにより配筋してもよい。
【００１４】
次に、ステップＳ１２で、図５（Ｂ）に示すように、基礎鉄筋の周囲に型枠１８を配設し、基礎コンクリート１９を打設する。なお、型枠１８を予めＨ型鋼２に保持、固定させて浮き型枠としてもよい。コンクリートの養生後、ステップＳ１３で、仮固定ボルトとナット１３（上側）を外して、テンプレート１２を撤去するとともに、Ｈ型鋼２の上部を後述するベースプレート２０を設置する高さに合わせて切断し、アンカーフレーム上部固定部材１４とともに撤去する。これにより、従来行われている高さ調整用の所謂まんじゅうモルタルの施工を省略することができる。
【００１５】
次に、ステップＳ１４で、図５（Ｃ）に示すように、アンカーボルト９のナット１３（下側）を外して鉄骨ベースプレート２０をアンカーボルト９に差し込み、ナット１３により固定し、ステップＳ１５で、ベースプレート２０の下方空間に無収縮モルタル２１をベースプレート２０の側部より充填する。最後にステップＳ１６以後で鉄骨２２の建方を継続して行う。
【００１６】
以上のようにして構築された本発明のアンカーボルト設置構造は、内部に立設されたＨ型鋼２と、該Ｈ型鋼２に固定され複数のアンカーボルト９を組み込んだアンカーフレーム７とからなり、さらに、前記Ｈ型鋼２に固定された仮設鉄筋１５と、該仮設鉄筋に配筋された基礎鉄筋１６、１７とを備える。
【００１７】
以上、本発明の実施の形態について説明したが、本発明はこれに限定されるものではなく、種々の変更が可能であり、また、従来公知または周知の技術を適宜採用することができる。例えば、上記実施形態においては、Ｈ型鋼を捨コンクリート中に支持させているが、マットスラブが存在する場合には、Ｈ型鋼を捨コンクリート上に載置して、Ｈ型鋼下端フランジ両側にアングル鋼材を溶接し、アングル鋼材を介してホールインアンカーにて捨コンクリートに仮固定して立設するようにしてもよい。マットスラブコンクリートを打設した時点で本固定されることになる。
また、上記実施形態においては、４本のアンカーボルトを採用しているが、アンカーボルトの本数は任意である。また、仮設鉄筋１５はアングル鋼材等他の鋼材を採用してもよい。
【００１８】
【発明の効果】
以上の説明から明らかなように、本発明によれば、基礎コンクリート内に立設されたＨ型鋼と、該Ｈ型鋼に固定され複数のアンカーボルトを組み込んだアンカーフレームとからなるので、アンカーボルトを高精度で配置することができるとともに、鉄筋配筋を容易にし作業能率を高めることができる。
【図面の簡単な説明】
【図１】本発明のアンカーボルト設置構造の構築工法の１実施形態を示し、施工手順を示すフロー図である。
【図２】図１のステップＳ１〜Ｓ６の工程を説明するための図であり、図２（Ａ）は縦断面、図２（Ｂ）は図２（Ａ）のＢ−Ｂ線で切断し矢印方向に見た断面図である。
【図３】アンカーフレームを示し、図３（Ａ）は平面図、図３（Ｂ）は側面図、図３（Ｃ）は底面図である。
【図４】図１のステップＳ７〜Ｓ１０の工程を説明するための図であり、図４（Ａ）は平面図、図４（Ｂ）は側面図である。
【図５】図１のステップＳ１１〜Ｓ１６の工程を説明するための図である。
【符号の説明】
２…Ｈ型鋼、７…アンカーフレーム、９…アンカーボルト、１０…固定プレート１２…テンプレート、１５…仮設鉄筋、１６、１７…基礎鉄筋
１９…基礎コンクリート、２０…鉄骨ベースプレート
【図１】
2004107947.tif 000003
【図２】
2004107947.tif 000004
【図３】
2004107947.tif 000005
【図４】
2004107947.tif 000006
【図５】
2004107947.tif 000007